【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、低層ゾーン用増圧給水システムから中層用増圧給水システムへ、中層用増圧給水システムから高層用増圧給水システムへ緊急状態信号をそれぞれ送信する信号送信手段を設け、水道用配水管側で流入圧低下が生じた場合、低層ゾーン用増圧給水システムは運転中であれば停止すると共に中層用増圧給水システムへ緊急状態信号を発信し、中層用増圧給水システムはこの信号を受信したとき運転中であれば停止すると共に高層用増圧給水システムへ緊急状態信号を発信し、高層用増圧給水システムはこの緊急状態信号を受信したとき運転中であれば停止するようにしたことを特徴とする中高層建物用増圧給水システム。
【請求項２】
請求項１に記載の中高層建物用増圧給水システムにおいて、
前記水道用配水管側で流入圧低下が復帰した場合、低層ゾーン用増圧給水システムは停止状態から運転可能状態に状態を遷移すると共に中層用増圧給水システムへ緊急状態の解除信号を発信し、中層用増圧給水システムはこの信号を受信したとき停止状態から運転可能状態に状態を遷移すると共に高層用増圧給水システムへ緊急状態の解除信号を発信し、高層用増圧給水システムはこの緊急状態解除信号を受信したとき停止状態から運転可能状態に状態を遷移するようにしたことを特徴とする中高層建物用増圧給水システム。
【請求項３】
請求項１に記載の中高層建物用増圧給水システムにおいて、
前記水道用配水管側で流入圧低下が復帰した場合、低層ゾーン用増圧給水システムは緊急停止する前の状態が運転であれば、運転を開始すると共に中層用増圧給水システムへ緊急状態の解除信号を発信し、中層用増圧給水システムはこの信号を受信したとき緊急停止する前の状態が運転であれば、運転を開始すると共に高層用増圧給水システムへ緊急状態の解除信号を発信し、高層用増圧給水システムはこの緊急状態解除信号を受信したとき緊急停止する前の状態が運転であれば、運転を開始するようにしたことを特徴とする中高層建物用増圧給水システム。
【請求項４】
請求項１に記載の中高層建物用増圧給水システムにおいて、
水道用配水管側で流入圧低下が生じた場合、前記低層ゾーン用増圧給水システムは警報表示又は警報発信すると共に中層用増圧給水システムへ緊急状態信号を発信し、前記中層用増圧給水システムはこの信号を受信したとき警報表示又は警報発信すると共に高層用増圧給水システムへ緊急状態信号を発信し、前記高層用増圧給水シスはこの緊急状態信号を受信したとき警報表示又は警報発信するようにしたことを特徴とする中高層建物用増圧給水システム。
【請求項５】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、最上位ゾーン用増圧給水システム以外の増圧給水システムは、増圧ポンプを１台で当該ゾーンへの給水を１００％まかなうことができる能力のポンプとし逆止め弁、仕切弁を２重系で構成し、低層ゾーン用増圧給水システムから中層用増圧給水システムへ、中層用増圧給水システムから高層用増圧給水システムへ緊急状態信号をそれぞれ送信する信号送信手段を設け、低層用増圧給水システムの増圧ポンプが２台共故障停止した場合、低層ゾーン用増圧給水システムは中層用増圧給水システムへ緊急状態信号を発信し、中層用増圧給水システムはこの信号を受信したとき停止する共に高層用増圧給水システムへ緊急状態信号を発信し、高層用増圧給水シスはこの緊急状態信号を受信したとき停止するようにしたことを特徴とする中高層建物用増圧給水システム。
【請求項６】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転信号を相互で送受信する手段と低層ゾーン用増圧給水システムから中層用増圧給水システムへ、中層用増圧給水システムから高層用増圧給水システムへ緊急状態信号をそれぞれ送信する信号送信手段とを設け、低層ゾーンより上層で水の使用があった場合は、自身の増圧給水システムが運転すると共に、前段の増圧給水システムに運転信号を発信し、これによって連系（連動）運転を行い、当該層より下位層で水の使用がなくてもここに設置されている各増圧給水システムは運転を継続し、水道用配水管側で流入圧高が生じた場合、低層より上位の増圧給水システムが運転している場合には運転を継続するようにしたことを特徴とする中高層建物用増圧給水システム。
【請求項７】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転信号を相互で送受信する手段と低層ゾーン用増圧給水システムから中層用増圧給水システムへ、中層用増圧給水システムから高層用増圧給水システムへ緊急状態信号をそれぞれ送信する信号送信手段とを設け、低層ゾーンより上層では水の使用がなく低層用増圧給水システムのみが運転しているとき、水道用配水管側で流入圧高が生じた場合、低層用増圧ポンプを停止して低層ゾーンをバイパス給水するようにしたことを特徴とする中高層建物用増圧給水システム。
【請求項８】
中高層建物の各ゾーンに対する給水を、下位ゾーンは水道用配水管に直結した下位ゾーン用増圧給水システムでまかない、上位ゾーンは前記下位ゾーン用増圧給水システムと直結した上位ゾーン用増圧給水システムでまかなうようにした中高層建物用増圧給水システムにおいて、前記下位ゾーン用増圧給水システムから前記上位用増圧給水システムへ緊急状態信号を送信する信号送信手段を設け、
水道用配水管側で流入圧低下が生じた場合、前記下位ゾーン用増圧給水システムは運転中であれば停止すると共に前記上位用増圧給水システムへ緊急状態信号を発信し、前記上位用増圧給水システムは前記緊急状態信号を受信したとき運転中であれば停止するようにしたことを特徴とする中高層建物用増圧給水システム。
【請求項９】
請求項８に記載の中高層建物用増圧給水システムにおいて、
前記水道用配水管側で流入圧低下が復帰した場合、前記下位ゾーン用増圧給水システムは停止状態から運転可能状態に状態に遷移すると共に前記上位層用増圧給水システムへ緊急状態の解除信号を発信し、前記上位層用増圧給水システムはこの緊急状態解除信号を受信したとき停止状態から運転可能状態に状態を遷移するようにしたことを特徴とする中高層建物用増圧給水システム。
【請求項１０】
請求項８に記載の中高層建物用増圧給水システムにおいて、
前記水道用配水管側で流入圧低下が復帰した場合、前記下位ゾーン用増圧給水システムは緊急停止する前の状態が運転であれば、運転を開始すると共に前記上位用増圧給水システムへ緊急状態の解除信号を発信し、前記上位用増圧給水システムはこの緊急状態解除信号を受信したとき緊急停止する前の状態が運転であれば、運転を開始するようにしたことを特徴とする中高層建物用増圧給水システム。
【請求項１１】
請求項８に記載の中高層建物用増圧給水システムにおいて、
水道用配水管側で流入圧低下が生じた場合、前記下位ゾーン用増圧給水システムは警報表示又は警報発信すると共に前記上位用増圧給水システムへ緊急状態信号を発信し、前記上位用増圧給水システムはこの緊急状態信号を受信したとき警報表示又は警報発信するようにしたことを特徴とする中高層建物用増圧給水システム。
【請求項１２】
中高層建物の各ゾーンに対する給水を、下位ゾーンは水道用配水管に直結した下位ゾーン用増圧給水システムでまかない、上位ゾーンは前記下位ゾーン増圧給水システムと直結した上位ゾーン用増圧給水システムでまかなうようにした中高層建物用増圧給水システムにおいて、前記下位ゾーン用増圧給水システムは、増圧ポンプを１台で当該ゾーンへの給水を１００％まかなうことができる能力のポンプとし逆止め弁、仕切弁を２重系で構成し、前記下位ゾーン用増圧給水システムから前記上位ゾーン用増圧給水システムへ緊急状態信号を送信する信号送信手段を設け、前記下位ゾーン用増圧給水システムの増圧ポンプが２台共故障停止した場合、前記下位ゾーン用増圧給水システムは前記上位ゾーン用増圧給水システムへ緊急状態信号を発信し、前記上位ゾーン用増圧給水シスはこの緊急状態信号を受信したとき停止するようにしたことを特徴とする中高層建物用増圧給水システム。
【請求項１３】
中高層建物の各ゾーンに対する給水を、下位ゾーンは水道用配水管に直結した下位ゾーン用増圧給水システムでまかない、上位ゾーンは前記下位ゾーン増圧給水システムと直結した上位ゾーン用増圧給水システムでまかなうようにした中高層建物用増圧給水システムにおいて、各増圧給水システム間を運転信号を相互で送受信する手段と前記下位ゾーン用増圧給水システムから前記上位ゾーン用増圧給水システムへ、緊急状態信号を送信する信号送信手段とを設け、前記上位ゾーンで水の使用があった場合は、自身の増圧給水システムが運転すると共に、前記下位ゾーン用増圧給水システムに運転信号を発信し、これによって連系（連動）運転を行い、当該層より下位層で水の使用がなくてもここに設置されている各増圧給水システムは運転を継続し、水道用配水管側で流入圧高が生じた場合、前記上位ゾーン用増圧給水システムが運転している場合には運転を継続するようにしたことを特徴とする中高層建物用増圧給水システム。
【請求項１４】
中高層建物の各ゾーンに対する給水を、下位ゾーンは水道用配水管に直結した下位ゾーン用増圧給水システムでまかない、上位ゾーンは前記下位ゾーン増圧給水システムと直結した上位ゾーン用増圧給水システムでまかなうようにした中高層建物用増圧給水システムにおいて、
各増圧給水システム間を運転信号を相互で送受信する手段と前記下位ゾーン用増圧給水システムから前記上位ゾーン用増圧給水システムへ緊急状態信号を送信する信号送信手段とを設け、前記上位ゾーン用増圧給水システムの使用がなく前記下位ゾーン用増圧給水システムのみが運転しているときに水道用配水管側で流入圧高が生じた場合、前記下位ゾーン用増圧ポンプを停止して前記下位ゾーン用増圧給水システムをバイパス給水するようにしたことを特徴とする中高層建物用増圧給水システム。